(57)【要約】【課題】測定面に残留した試薬によるノイズの発生を抑えた測定用プレートを実現できるようにする。【解決手段】測定用プレートは、第１の基板１０１と、第１の基板１０１に対向して設けられると共に凹部を有する第２の基板１０２とを備えている。第１の基板１０１、第２の基板１０２の凹部とは、標的検体を測定する測定ウェル１１０を構成し、測定ウェル１１０は、標的検体２００が付着する検体付着面１１１を有し、測定ウェル１１０内の検体付着面１１１を除く部分に、標的検体２００を含む液体試料の光学特性を変化させる試薬１３０が担持されている。試薬１３０は、測定ウェル１１０内に液体試料を導入することにより、遊離して標的検体２００を含む液体試料の光学特性を変化させる。【選択図】図２
2019078530.tif 000002
【特許請求の範囲】
【請求項１】
第１の基板と、
前記第１の基板に対向して設けられると共に凹部を有する第２の基板とを備え、
前記第１の基板と、前記第２の基板の前記凹部とは、標的検体を測定する測定ウェルを構成し、
前記測定ウェルは、前記標的検体が付着する検体付着面を有し、
前記測定ウェル内の前記検体付着面を除く部分に、前記標的検体を含む液体試料の光学特性を変化させる試薬が担持されており、
前記試薬は、前記測定ウェル内に前記標的検体を含む液体試料を導入することにより、遊離して前記標的検体を含む液体試料の光学特性を変化させる測定用プレート。
【請求項２】
前記第１の基板及び前記第２の基板は円盤状であり、
前記測定ウェルは、周上に複数設けられており、
前記検体付着面は、前記第１の基板の表面の一部であり、
前記第１の基板の表面は、らせん状又は同心円状に設けられたトラック溝を有している、請求項１に記載の測定用プレート。
【請求項３】
回転させながら、前記トラック溝に沿って光を入射させて、出射する光を測定する、請求項２に記載の測定用プレート。
【請求項４】
前記測定ウェルよりも内周側に、前記液体試料を注入する注入孔が設けられ、
前記注入孔に注入された前記液体試料は、遠心力により前記測定ウェル内に移送され、
前記試薬は、前記測定ウェルの内周側の表面に担持されている、請求項２又は３に記載の測定用プレート。
【請求項５】
前記第１の基板側から光を入射させて、前記第１の基板側から出射する光を測定することにより、光学特性の変化を検出する、請求項１〜４のいずれか１項に記載の測定用プレート。
【請求項６】
前記第２の基板は、前記第１の基板側から入射させる光により励起される蛍光色素を含有する、請求項５に記載の測定用プレート。
【請求項７】
前記第１の基板は、前記測定ウェルの下面となるように配置されており、
標識された前記標的検体は、前記検体付着面に付着する、請求項１〜６のいずれか１項に記載の測定用プレート。
【請求項８】
前記標的検体は、赤血球であり、
前記検体付着面は親水化処理されている、請求項７に記載の測定用プレート。
【請求項９】
前記標的検体は、マラリア感染赤血球である、請求項８に記載の測定用プレート。
【請求項１０】
前記試薬は、前記標的検体を標識する蛍光色素を含む、請求項１〜９のいずれか１項に記載の測定用プレート。
【発明の詳細な説明】
【技術分野】
【０００１】
本開示は、測定用プレートに関し、特に臨床検査等に用いることができる測定用プレートに関する。
【背景技術】
【０００２】
臨床検査等の微量検体の測定等において、光による検出が広く用いられている。例えば、微量検体と反応して発色する試薬と反応させたり、微量検体と結合して光学的な標識をする試薬と反応させたりして、反応後の吸光度又は蛍光光度等を測定することが行われている。
【０００３】
臨床検査等の分野においては、検体量が限られており、試薬も高価な場合が多い。このため、検体及び試薬の量を低減できるように、検体と試薬との反応容器となると共に、検出のための光学セルとなる測定用プレートを用いる方法が注目されている。さらに、試薬は、測定用プレートに予め準備された状態としておき、検体を測定用プレートに供給すれば後は自動的に測定が行われるようにすることが検討されている。取り扱い性や試薬の安定性の観点から、試薬は乾燥状態となっていることが好ましい。このため、測定用プレートの内壁に試薬を担持させておき、測定用プレートに検体を導入することにより試薬を溶解させて検体と反応させることが行われている（例えば、特許文献１を参照。）。
【先行技術文献】
【特許文献】
【０００４】
【特許文献２】特開２０１２−１３２９３５号公報
【発明の概要】
【発明が解決しようとする課題】
【０００５】
特許文献１においては、検出に用いる光が通過する測定面に試薬を担持させている。測定面に担持させた試薬の一部は、溶解せずに測定面に残留するおそれがある。測定面に残留した試薬は光学的なノイズの原因となり、測定感度及び精度を低下させる。測定用プレートにおける試薬を担持させる部分と、測定を行う部分とを分けることによりこのような問題は解決できるが、測定の効率化の観点からは、測定を行う測定ウェルに試薬を担持させ、測定ウェルにおいて検体と試薬とを反応させることが好ましい。
【０００６】
本開示の課題は、測定面に残留した試薬によるノイズの発生を抑えた測定用プレートを実現できるようにすることである。
【課題を解決するための手段】
【０００７】
本開示の測定用プレートの一態様は、第１の基板と、第１の基板に対向して設けられると共に凹部を有する第２の基板とを備え、測定ウェルは、標的検体が付着する検体付着面を有し、測定ウェル内の検体付着面を除く部分に、標的検体を含む液体試料の光学的特性を変化させる試薬が担持されており、試薬は、測定ウェル内に標的検体を含む液体試料を導入することにより、遊離して標的検体を含む液体試料の光学特性を変化させる。
【０００８】
測定用プレートの一態様において、第１の基板及び第２の基板は円盤状であり、測定ウェルは、周上に複数設けられており、検体付着面は第１の基板の表面の一部であり、第１の基板の表面は、らせん状又は同心円状に設けられたトラック溝を有していてもよい。
【０００９】
測定用プレートの一態様において、回転させながら、トラック溝に沿って光を入射させて、出射する光を測定することができる。
【００１０】
測定用プレートの一態様において、測定ウェルよりも内周側に、液体試料を注入する注入孔が設けられ、注入孔に注入された液体試料は、遠心力により測定ウェル内に移送され、試薬は、測定ウェルの内周側の表面に担持されていてもよい。
【００１１】
測定用プレートの一態様において、第１の基板側から光を入射させて、第１の基板側から出射する光を測定することにより、光学的特性の変化を検出する構成とすることができる。
【００１２】
測定用プレートの一態様において、第２の基板は、第１の基板側から入射させる光により励起される蛍光色素を含有していてもよい。
【００１３】
測定用プレートの一態様において、第１の基板は、測定ウェルの下面となるように配置されており、標識された標的検体は、検体付着面に付着するようにできる。
【００１４】
測定用プレートの一態様において、標的検体は、赤血球であり、検体付着面は親水化処理されていてもよい。
【００１５】
測定用プレートの一態様において、標的検体は、マラリア感染赤血球とすることができる。
【００１６】
測定用プレートの一態様において、試薬は、標的検体を標識する蛍光色素を含んでいてもよい。
【発明の効果】
【００１７】
本開示の測定用プレートによれば、測定面に残留した試薬によるノイズの発生を抑えることができる。
【図面の簡単な説明】
【００１８】
【図１】一実施形態の測定用プレートを示す断面図である。
【図２】測定ウェルに液体試料が注入された状態を示す断面図である。
【図３】一実施形態の測定用プレートを示す斜視図である。
【図４】測定用プレートの変形例を示す断面図である。
【発明を実施するための形態】
【００１９】
本実施形態の測定用プレートは、図１に示すように、第１の基板１０１と、第１の基板１０１に対向して設けられると共に凹部を有する第２の基板１０２とを備えている。第１の基板１０１と、第２の基板１０２の凹部とにより、標的検体を測定する測定ウェル１１０が構成される。測定ウェル１１０は、測定ウェル内に注入される液体試料に含まれる標的検体が付着する検体付着面１１１を有している。測定ウェル１１０内における検体付着面１１１を除く部分には、標的検体を含む液体試料の光学的特性を変化させる試薬１３０が担持されている。本実施形態においては、測定ウェル１１０の上面となる、第２の基板１０２の凹部の底面に試薬１３０が担持されている例を示している。試薬１３０は、例えば標的検体を特異的に蛍光標識する蛍光標識試薬とすることができる。
【００２０】
図２に示すように、注入孔１１５から測定ウェル１１０内に標的検体２００を含む液体試料を導入することにより、試薬１３０は溶解して内壁面から遊離し、標的検体２００と結合して標的検体２００を蛍光標識する。光検出ユニット２５０を用いて、第１の基板１０１側から励起光を入射させて、第１の基板１０１側から出射する蛍光光を測定することにより、測定ウェル１１０内に存在する蛍光標識された標的検体２００を検出することができる。
【００２１】
なお、図２において、第１の基板１０１を下側に配置し、下側から検出する構成を示したが、上側から検出する構成とすることもできる。また、第１の基板１０１を上側に配置し、上側から検出する構成、又は下側から検出する構成とすることもできる。
【００２２】
本実施形態の測定用プレートは、測定ウェル１１０内に試薬１３０が予め担持された状態となっている。また、測定ウェル１１０において標識試薬の標識と蛍光測定とを行う。このため、標的検体２００を含む血液等を測定ウェル１１０内に導入するだけで、標的検体２００の検出ができる。本実施形態の測定用プレートは、標的検体が付着する検体付着面１１１には、試薬１３０が担持されていない。このため、担持された試薬の一部が遊離せずに残留したとしても、蛍光測定にほとんど影響を与えない。試薬１３０が担持されていない、検体付着面１１１側から励起光を入射することにより、さらに試薬１３０の影響を低減することができる。また、検体付着面１１１側に出射した蛍光光を測定することにより、さらに試薬１３０の影響を低減することができる。
【００２３】
試薬１３０が第１の基板１０１の表面にも担持されている場合に、試薬１３０が完全に遊離せずに残存すると、第１の基板１０１の表面に残存する試薬が発光してバックグラウンドノイズとなる。従って、本実施形態の測定用プレートは、試薬１３０が第１の基板１０１の表面にも担持されている場合と比べて、バックグラウンドノイズの発生を大幅に低減することができる。
【００２４】
試薬１３０は、例えば標的検体と特異的に反応して標識する蛍光色素等とすることができる。標的検体がマラリア感染赤血球である場合には、ＳＹＴＯ（登録商標）系色素やアクリルオレンジ等の蛍光色素を用いることができる。これらの蛍光色素を用いることにより、赤血球中のマラリア原虫の核を染色する。なお、標的検体と特異的に反応する抗体、抗原又はリガンド等に蛍光色素結合させた試薬とすることもできる。
【００２５】
本実施形態において、試薬１３０が蛍光標識試薬であり蛍光光を検出する例を示した。しかし、試薬１３０は、標的検体を含む液体試料に何らかの光学的な特性の変化が生じるようにできればよい。例えば、吸光度の変化を生じさせるような色素を含む標識試薬を用いることができる。また、標的検体を標識する試薬に限らず、ヨウ素試薬等の標的検体と反応して発色する試薬を用いることもできる。
【００２６】
標的検体は、特に限定されないが血球細胞、組織細胞、及び細菌等の微生物細胞等とすることができる。標的検体が細胞である場合には、第１の基板１０１が下側になるように配置すれば、細胞が沈降して第１の基板１０１の表面に付着するため、検出が容易となる。この場合、細胞の特性に応じて、第１の基板１０１の表面を親水化したり、疎水化したりすることができる。標識検体が赤血球である場合には、第１の基板１０１の表面を親水化することが好ましい。表面を親水化することにより、赤血球が第１の基板１０１の表面により多く付着するようにし、検出をより容易にすることができる。また、表面を親水化することにより標識検体と結合していない遊離の試薬１３０が第１の基板１０１の表面に非特異的に吸着しにくくすることができる。
【００２７】
標識された標的検体が第１の基板１０１の表面に特異的に吸着されるように、第１の基板１０１の表面に標的検体と選択的に結合する抗体や抗原等を固定しておくこともできる。また、イオン性の反応等により標的検体が第１の基板１０１の表面に特異的に吸着されるように、第１の基板１０１の表面にコーティング等を行うこともできる。
【００２８】
標的検体付着面を親水化処理する場合や、標的検体を特異的に吸着するために標的検体付着面に抗体等を固定する場合、測定ウェルに設けられる試薬との相互作用が問題となる場合がある。例えば、親水化処理剤と試薬との相互作用は、試料の標識阻害や、蛍光強度の低下など、検出精度が劣化を引き起こすおそれがある。
【００２９】
しかし、本実施形態の測定用プレートは、親水化処理を行う面または抗体を固定する面とは異なる位置に試薬を配置する。そのため、試薬と親水化処理剤又は抗体等との相互作用を抑制することができる。
【００３０】
なお、標的検体は細胞に限らず、抗体、酵素、その他のタンパク質、抗原、又は糖などの生体成分とすることができる。
【００３１】
本実施形態の測定用プレートは、図３に示すように、円盤状で、複数の測定ウェル１１０が円周上に配置されている構成とすることができる。このようにすれば多検体を一度に測定することができる。図３には、１つの測定用プレート１００に８個の測定ウェル１１０が設けられている例を示しているが、測定ウェル１１０の数は適宜変更することができる。
【００３２】
円盤状の測定用プレートは、中心に孔１０５を有する。また、注入孔１１５は、測定ウェル１１０よりも円周方向において内周側に設けられている
測定用プレートが円盤状である場合には、第１の基板１０１の表面にらせん状又は同心円状のトラック溝１４０を設けることができる。トラック溝１４０を設けることにより、光検出ユニット２５０の検出位置を特定することが容易にできる。従って、測定用プレートを回転させながら検出を行うことにより、測定用プレート全体をスキャンして、測定用プレートに含まれる各測定ウェル１１０をもれなく測定することが可能となる。
【００３３】
なお、トラック溝１４０を覆うように、第１の基板１０１の表面に反射膜１４１を設けてもよい。反射膜１４１は、誘電体膜が望ましいが、アルミニウム、銀合金等の金属、あるいは、ＺｎＳｉＯ２、酸化ニオブ、波長選択膜等から構成してもよい。反射膜１４１の反射率は、例えば、５％〜２０％である。反射膜１４１の膜厚は、所望の反射率となるよう設定される。例えば、反射膜１４１の膜厚は、５ｎｍ〜２０ｎｍとすることができる。反射膜１４１は、第１の基板側１０１から入射される励起光を、第１の基板１０１側に反射させる。なお、反射膜１４１は、励起光の一部を透過させる。これにより、反射膜１４１上の測定ウェル１１０の検体付着面１１１に付着した検体に励起光の一部を照射させることができる。このため、測定用プレートにおいて、トラック溝の追従と標識検体の検出を行うことができる。
【００３４】
なお、第１の基板１０１は、ポリカーボネートの他、ポリメチルメタクリレート、又は非晶質ポリオレフィン等から構成されていてもよい。
【００３５】
なお、試薬が、反射膜と相互作用する場合がある。このような場合に、測定用プレート試薬を反射膜と接触する位置に担持させると、試薬と反射膜との相互作用により、試薬の蛍光特性が変化し、保存安定性が低下したり、検出精度に悪影響を与えたりするおそれがある。
【００３６】
本実施形態測定用プレートにおいて、試薬１３０は、測定ウェル１１０内において、反射膜１４１が設けられた表面とは異なる位置に担持されている。そのため、試薬１３０が担持された測定用プレートの保存安定性を向上させることができる。
【００３７】
また、トラック溝が設けられた表面にに試薬を担持させた場合、トラック溝の隙間に試薬が固定され、液体試料の導入によって試薬が完全に測定ウェル内に遊離せず、トラック溝の隙間に残存するおそれがある。トラック溝の隙間に残存する試薬は、検出測定において、光学的なノイズとなり、検出精度が低下する。
【００３８】
本実施形態の測定用プレートにおいては、保存状態において、試薬１３０がトラック溝１４０の隙間に担持されないため、検出精度を向上させることができる。
【００３９】
また、測定用プレートが円盤状である場合には、検体の注入孔１１５を中心側に設けることにより、標的検体を含む液体試料が遠心力によって測定ウェル１１０内に拡がるようにすることができる。この際に、液体試料がフィルター等を通過して測定ウェル１１０内に流れ込むようにすることもできる。フィルターは、例えば、注入孔１１５と測定ウェル１１０との間に設けられてもよい。この場合、検体は、遠心力によりフィルターを通過する。例えば、赤血球と白血球とを分離するフィルターを通過させるようにして、白血球を除去すれば、マラリア感染赤血球の測定が容易となる。なお、測定ウェル１１０は、毛管現象を利用したマイクロチャネルとすることもできる。
【００４０】
本実施形態の測定用プレートは、例えば以下のようにして製造することができる。まず、トラック溝１４０が形成された円盤状の第１の基板１０１と、測定ウェル１１０となる凹部を有する円盤状の第２の基板１０２とを準備する。準備した第２の基板１０２の凹部に試薬１３０を担持させる。試薬１３０を凹部に担持させる方法は、特に限定されず試薬１３０の種類等に応じて適切なものを選択すればよい。例えば、試薬１３０が蛍光色素の場合には、所定の濃度にした試薬１３０の溶液を、凹部に入れ、凍結乾燥することにより担持させることができる。また、蛍光色素の粉末を第２の基板１０２の表面に散布して粉末固定することもできる。
【００４１】
次に、第１の基板１０１と、凹部に試薬１３０を担持させた第２の基板１０２とを貼り合わせる。これにより、測定ウェル１１０を有し、測定ウェル１１０の第１の基板１０１の表面には試薬１３０が担持されていない測定用プレートを製造することができる。
【００４２】
試薬１３０は、第２の基板１０２の凹部の底面に配置されている。なお、凹部の底面は、第１の基板１０１の表面と対向する第２の基板１０２の表面である。試薬１３０は、図４に示すように、凹部の内周面側に設けられていてもよい。このような構成とすることにより、試薬１３０は、液体試料の流れにより、測定ウェル１１０内に拡散されやすくなる。そのため、検体を均一に標識することができる。
【００４３】
貼り合わせる前に、第１の基板１０１の表面は、標的検体に応じた処理を行うことができる。例えば、標的検体がマラリア感染赤血球である場合には、第１の基板１０１の表面を親水化処理することができる。表面の親水化は例えば、３−アミノプロピルトリエトキシシラン（ＡＰＴＥＳ）やポリジアリルジメチルアンモニウムクロライド等の親水化材料をコーティングしてすることができる。親水化材料のコーティングは、例えば、スピンコート等により行うことができる。なお、親水化処理は、適宜最適な方法により、親水化材料を基板の表面にコーティングすることで行ってもよい。
【００４４】
また、標的検体を結合するための抗体等を第１の基板１０１の表面に固定したり、標的検体とイオン結合するようなコーティングをしたりすることもできる。
【００４５】
第１の基板１０１側において光を入射及び出射させるため、第１の基板１０１は、光学的に透明で且つ散乱等が生じにくい表面状態であることが好ましい。例えば、第１の基板１０１には光学ディスク等を用いることができる。第１の基板１０１は、樹脂又はガラス等とすることができる。樹脂としては、ポリメチルメタクリレート、シリコーン、ポリスチレン、シクロオレフィンコポリマー、ポリジメチルシロキサン、又はポリカーボネート等の透明な樹脂を用いることができ、特にポリメチルメタクリレート等のアクリル系の樹脂が好ましい。ここでいう透明とは、試薬１３０の検出に用いる波長の光を大きく減衰しないことをいう。例えば、試薬１３０が蛍光色素である場合には、少なくとも励起光及び蛍光光に対して透明であればよい。
【００４６】
第２の基板１０２も、アクリル等の樹脂又はガラス等とすることができる。第２の基板１０２を透明とすることにより、測定ウェル１１０内への検体の導入を目視により確認することが可能となる。但し、第２の基板１０２は、透明でなくてもよく、不透明な樹脂又は金属等を用いることもできる。第２の基板１０２は、１つの部材により一体に形成することができるが、２つ以上の部材を組み合わせて形成することもできる。
【００４７】
なお、第２の基板１０２は、蛍光色素を含む樹脂により形成することもできる。このとき、樹脂に含まれる蛍光色素は、例えば、標識に用いられる蛍光試薬と同じ波長の励起光により蛍光光を発する材料である。このような構成とすることにより、検体の測定において、第２の基板１０２から発せられる蛍光光を利用して、検体の形状を観察することができる。
【００４８】
第１の基板１０１と第２の基板１０２とは、接着剤等により貼り合わせればよい。また、材質によっては融着等により貼り合わせることもできる。
【００４９】
測定用プレートと組み合わせる光検出ユニット２５０は、試薬１３０の種類に応じて適宜変更することができる。試薬１３０が蛍光色素である場合には、図２に示すように、光源２５１からの励起光を第１の基板１０１側に照射し、第１の基板１０１側へ出射した蛍光光を蛍光検出器２５２により検出するようにできる。
【００５０】
励起光は、対物レンズ２５３により第１の基板１０１に設けられたトラック溝１４０の位置に集光される。第１の基板１０１において反射された励起光は、偏向ビームスプリッター２５４、ダイクロイックミラー２５５、及びアナモフレックスレンズ２５６を通って、反射励起光検出器２５７に入射する。このような構成とすることにより、第１の基板１０１に設けられたトラック溝１４０をトレースしながら測定用プレートをスキャンすることができる。
【００５１】
第１の基板１０１の表面に位置する標的検体に結合した蛍光物質は、励起光により励起され蛍光を発する。蛍光物質から発せられた蛍光のうち第１の基板１０１側へ出射されたものは、対物レンズ２５３、偏向ビームスプリッター２５４を通って、ダイクロイックミラー２５５に導かれ、反射励起光と分離されて蛍光検出器２５２に入射する。
【００５２】
なお、励起光の焦点深度内に、測定用プレートのトラック溝１４０および第１の基板１０１の表面に位置する標識検体が含まれることが好ましい。このような構成とすることにより、測定用プレートの走査と検体の検出を一波長の励起光で同時に行うことができる。そのため、装置を小型化することがきるとともに、測定時間を短縮することがでる。
【００５３】
光源２５１には、例えばレーザダイオード等を用いることができる。蛍光検出器２５２及び反射励起光検出器２５７は、例えばフォトダイオード等を用いることができる。蛍光検出器２５２及び反射励起光検出器２５７の出力は、必要に応じてデータ処理装置に入力してデータ処理することができる。また、光源２５１の出力等を制御することもできる。
【００５４】
以下に、本実施形態の測定用プレートの使用方法の一例としてマラリア感染赤血球の測定をする場合を説明する。マラリア感染赤血球の測定をする場合、測定ウェル１１０に担持させる試薬１３０にはＳＹＴＯ（登録商標）系色素等を用いることができる。また、注入孔１１５と測定ウェル１１０との間には赤血球と白血球とを分離するフィルターが設けられていることが好ましい。注入孔１１５に液体試料を注入し、測定用プレートを回転させることにより、フィルターを通過させて白血球を除去した液体試料を測定ウェル１１０内に移送する。試料溶液により測定ウェル１１０内に担持された蛍光色素が遊離し、マラリア感染赤血球を標識する。また、マラリア感染赤血球及び健常赤血球は、検体付着面１１１に付着する。
【００５５】
次に、例えば、測定用プレートに４００ｎｍ〜４１０ｎｍの励起光を照射し、その反射光で第１の基板１０１の表面にらせん状又は同心円状のトラック溝１４０を検知して追従していく。この動作により、測定用プレートの全域を漏れなく走査することができる。また、照射した励起光によって発生した蛍光光を取得して、その蛍光信号の強度によりマラリア及び赤血球の検出を行う。取得する蛍光光波長は、標識試薬にもよるが４２０ｎｍ〜４８０ｎｍとすることができる。
【００５６】
第２の基板１０２は照射された励起光に対し自家蛍光を持つことが好ましい。赤血球に含まれるヘモグロビンは、特に４５０ｎｍ以下の波長帯において、電磁波を強く吸収するため、照射された励起光を吸収する。一方、測定面になにも付着していない部分は、第２の基板１０２が発する自家蛍光が蛍光信号として検出される。このため、検体付着面１１１における標識されたマラリア感染赤血球が付着した部分は、標識されたマラリアの部分は非常に明るくなり、それ以外の部分は非常に暗くなる。標識されていない健常赤血球が付着した部分は、全体が非常に暗くなる。なにも付着していない部分は、第２の基板１０２の自家蛍光によりマラリアの部分よりも暗く、赤血球が付着している部分よりも明るくなる。
【００５７】
従って測定用プレートをスキャンして、蛍光信号を画像化した蛍光画像を作成し、これを画像解析することにより、測定ウェル１１０内の全赤血球数と、マラリア感染赤血球数とを求めることができる。マラリア感染赤血球数／全赤血球数からマラリア感染率を求めることができる。
【００５８】
本実施形態において、測定用プレートが円盤状で、複数の測定ウェルが円周上に配置されている例を示したが、１つの測定ウェルが１つの測定用プレートである構成とすることもできる。この場合、第１の基板にトラック溝を設けなくてもよい。また、測定用プレートを方形状等にすることができる。
【産業上の利用可能性】
【００５９】
本開示の測定用プレートは、測定面に残留した試薬によるノイズの発生を抑えることができ、特に臨床検査等において用いることができる測定用プレートとして有用である。
【符号の説明】
【００６０】
１０１      第１の基板
１０２      第２の基板
１０５      孔
１１０      測定ウェル
１１１      検体付着面
１１５      注入孔
１３０      試薬
１４０      トラック溝
１４１      反射膜
２００      標的検体
２５０      光検出ユニット
２５１      光源
２５２      蛍光検出器
２５３      対物レンズ
２５４      偏向ビームスプリッター
２５５      ダイクロイックミラー
２５６      アナモフレックスレンズ
２５７      反射励起光検出器
【図１】
2019078530.tif 000003
【図２】
2019078530.tif 000004
【図３】
2019078530.tif 000005
【図４】
2019078530.tif 000006